(57)【特許請求の範囲】
【請求項１】
荷重が作用するワイヤに沿って設けられた第１のガイドと、前記第１のガイドに移動可能に係合すると共に回転が禁止され、前記ワイヤが係止され、第１のラチェット突起が形成されたスライドブッシュと、
前記第１のガイドに移動可能に係合し、前記スライドブッシュとの対向面に第２のラチェット突起が形成されたスライドスクリューと、
前記スライドブッシュと前記スライドスクリューとの間に配設され、前記スライドブッシュとの対向面には前記第１のラチェット突起と噛合可能な第１′のラチェット突起が、前記スライドスクリューとの対向面には前記第２のラチェット突起と噛合可能な第２′のラチェット突起が形成されたスライドカラーと、
前記ワイヤを張る方向に前記スライドブッシュを付勢する付勢手段とを設け、前記スライドブッシュが前記スライドスクリューより離れる方向に移動すると、前記スライドカラーを前記スライドブッシュの第１のラチェット突起と、前記スライドカラーの第１′のラチェット突起との噛合を解除する方向に案内する斜面部からなる第２のガイドと、該第２のガイドに係合する突部とのうち一方を前記スライドブッシュに、他方を前記スライドカラーに設け、
更に、前記突部が前記第２のガイドを越えた時点で、前記第１及び第１′のラチェット突起の噛合及び前記第２及び第２′のラチェット突起の噛合のうち、どちらか一方が完全噛合状態、他方が不完全噛合状態となるよう前記第２のガイドと突部とを設け、
又、前記不完全噛合状態から完全噛合状態へ前記スライドカラーが回転すると、前記スライドスクリューが前記スライドブッシュ方向に移動するように、前記第１のガイド，前記スライドスクリューのうち、どちらか一方にナット部を、他方に前記ナット部に螺合するねじ棒部を設けると共に、前記第１のガイド側の部材の回転を禁止したことを特徴とするワイヤたるみ取り機構。
【請求項２】
荷重が作用するワイヤに沿って設けられた第１のガイドと、前記第１のガイドに移動可能に係合すると共に回転が禁止され、前記ワイヤが係止され、第１のラチェット突起が形成されたスライドブッシュと、
前記第１のガイドに移動可能に係合し、前記スライドブッシュとの対向面に前記第１のラチェットと噛合可能な第１′のラチェットが形成されたスライドスクリューと、
前記ワイヤを張る方向に前記スライドブッシュを付勢する付勢手段とを設け、前記スライドブッシュが前記スライドスクリューより離れる方向に移動すると、前記スライドスクリューを前記スライドブッシュの第１のラチェット突起と、前記スライドスクリューの第１′のラチェット突起との噛合を解除する方向に案内する斜面部からなる第２のガイドと、該第２のガイドに係合する突部とのうち一方を前記スライドブッシュに、他方を前記スライドスクリューに設け、
更に、前記突部が前記第２のガイドを越えた時点で、前記第１及び第１′のラチェット突起が不完全噛合状態となるように前記第２のガイドと突部とを設け、
又、この不完全噛合状態から完全噛合状態へ前記スライドブッシュが回転すると、前記スライドスクリューが前記スライドブッシュ方向に移動するように、前記第１のガイド，前記スライドスクリューのうち、どちらか一方にナット部を他方に前記ナット部に螺合するねじ棒部を設けると共に、前記第１のガイド側の部材の回転を禁止したことを特徴とするワイヤたるみ取り機構。
【請求項３】
ワイヤの移動により窓ガラスを昇降させるウィンドウレギュレータにおいて、
荷重が作用するワイヤに沿って設けられた第１のガイドと、
前記第１のガイドに移動可能に係合すると共に回転が禁止され、前記ワイヤが係止され、第１のラチェット突起が形成されたスライドブッシュと、
前記第１のガイドに移動可能に係合し、前記スライドブッシュとの対向面に第２のラチェット突起が形成されたスライドスクリューと、
前記スライドブッシュと前記スライドスクリューとの間に配設され、前記スライドブッシュとの対向面には前記第１のラチェット突起と噛合可能な第１′のラチェット突起が、前記スライドスクリューとの対向面には前記第２のラチェット突起と噛合可能な第２′のラチェット突起が形成されたスライドカラーと、
前記ワイヤを張る方向に前記スライドブッシュを付勢する付勢手段とを設け、前記スライドブッシュが前記スライドスクリューより離れる方向に移動すると、前記スライドカラーを前記スライドブッシュの第１のラチェット突起と、前記スライドカラーの第１′のラチェット突起との噛合を解除する方向に案内する斜面部からなる第２のガイドと、該第２のガイドに係合する突部とのうち一方を前記スライドブッシュに、他方を前記スライドカラーに設け、
更に、前記突部が前記第２のガイドを越えた時点で、前記第１及び第１′のラチェット突起の噛合及び前記第２及び第２′のラチェット突起の噛合のうち、どちらか一方が完全噛合状態、他方が不完全噛合状態となるよう前記第２のガイドと突部とを設け、
又、前記不完全噛合状態から完全噛合状態へ前記スライドカラーが回転すると、前記スライドスクリューが前記スライドブッシュ方向に移動するように、前記第１のガイド，前記スライドスクリューのうち、どちらか一方にナット部を、他方に前記ナット部に螺合するねじ棒部を設けると共に、前記第１のガイド側の部材の回転を禁止したワイヤたるみ取り機構を有することを特徴とするウィンドウレギュレータ。
【請求項４】
ワイヤの移動により窓ガラスを昇降させるウィンドウレギュレータにおいて、
荷重が作用するワイヤに沿って設けられた第１のガイドと、
前記第１のガイドに移動可能に係合すると共に回転が禁止され、前記ワイヤが係止され、第１のラチェット突起が形成されたスライドブッシュと、
前記第１のガイドに移動可能に係合し、前記スライドブッシュとの対向面に前記第１のラチェットと噛合可能な第１′のラチェットが形成されたスライドスクリューと、
前記ワイヤを張る方向に前記スライドブッシュを付勢する付勢手段とを設け、前記スライドブッシュが前記スライドスクリューより離れる方向に移動すると、前記スライドスクリューを前記スライドブッシュの第１のラチェット突起と、前記スライドスクリューの第１′のラチェット突起との噛合を解除する方向に案内する斜面部からなる第２のガイドと、該第２のガイドに係合する突部とのうち一方を前記スライドブッシュに、他方を前記スライドスクリューに設け、
更に、前記突部が前記第２のガイドを越えた時点で、前記第１及び第１′のラチェット突起が不完全噛合状態となるように前記第２のガイドと突部とを設け、又、この不完全噛合状態から完全噛合状態へ前記スライドブッシュが回転すると、前記スライドスクリューが前記スライドブッシュ方向に移動するように、前記第１のガイド，前記スライドスクリューのうち、どちらか一方にナット部を他方に前記ナット部に螺合するねじ棒部を設けると共に、前記第１のガイド側の回転を禁止したワイヤたるみ取り機構を有することを特徴とするウィンドウレギュレータ。
【発明の詳細な説明】
【０００１】
【発明の属する技術分野】
本発明は、ワイヤたるみ取り機構及びこのワイヤたるみ取り機構を用いたウィンドウレギュレータに関する。
【０００２】
【従来の技術】
ワイヤを用いて窓ガラスの昇降を行なうウィンドウレギュレータにおいては、ワイヤのたるみを取り除くために、図１３に示すような構成のワイヤたるみ取り機構が用いられている。
【０００３】
窓ガラスが取り付けられるスライダプレート６には、矩形の穴６ａが形成され、この穴６ａに射出成形法等により、上面が開放された箱状のハウジング３０が取付けられている。
【０００４】
このハウジング３０内には、つば部３１ａ，３２ａを有するスライダ３１，３２が摺動可能に配設されている。ワイヤ１２の一方の端部側と、他方の端部側とはそれぞれハウジング３０の側面に嵌合するブッシュ３３，３４を介して、ハウジング３０内に嵌入している。
【０００５】
また、スライダ３１，３２には、軸方向にワイヤ１２が挿通する貫通穴３１ｂ，３２ｂが形成され、各ワイヤ１２の先端部は、抜け止め部材３５，３６がかしめ等の方法により取付けられている。
【０００６】
そして、一端部がハウジング３０の内壁面に、他端部がスライダ３１，３２のつば部３１ａ，３２ａにそれぞれ当接するスプリング３７，３８の付勢力により、ワイヤ１２に張力を与え、ケーブルのたるみを取り除いている。
【０００７】
【発明が解決しようとする課題】
しかし、上記構成のウィンドウレギュレータでは、ガラスを昇降させると、ワイヤ１２には荷重（張力）が作用し、ワイヤ１２は徐々に伸びる。このワイヤ１２の伸びは、たるみ取り除き機構で初めは取り除かれるが、伸びが大きくなると、スプリング３７，３８の伸びも大きくなり、ワイヤ１２に付与される張力が低下する。
【０００８】
ワイヤ１２に付与される張力が低下すると、ガラスの昇降時にガタが発生したり、ワイヤ１２がガイドから外れたりする。更には、たるんだ状態のワイヤ１２に、ガラス昇降時のような大きな張力が作用すると、ワイヤ１２が破断したりする。
【０００９】
本発明は、上記問題点に鑑みてなされたもので、その目的は、長期間にわたってワイヤの張力を略一定にできるワイヤたるみ取り除き機構を提供することにある。
【００１０】
又、本発明の別の目的は、ガラスの昇降時にガタが発生せず、ワイヤのガイドからの外れを防止でき、ワイヤの耐久性が向上するウィンドウレギュレータを提供することにある。
【００１１】
【課題を解決するための手段】
上記課題を解決する第１の発明は、荷重が作用するワイヤに沿って設けられた第１のガイドと、前記第１のガイドに移動可能に係合すると共に回転が禁止され、前記ワイヤが係止され、第１のラチェット突起が形成されたスライドブッシュと、前記第１のガイドに移動可能に係合し、前記スライドブッシュとの対向面に第２のラチェット突起が形成されたスライドスクリューと、前記スライドブッシュと前記スライドスクリューとの間に配設され、前記スライドブッシュとの対向面には前記第１のラチェット突起と噛合可能な第１′のラチェット突起が、前記スライドスクリューとの対向面には前記第２のラチェット突起と噛合可能な第２′のラチェット突起が形成されたスライドカラーと、前記ワイヤを張る方向に前記スライドブッシュを付勢する付勢手段とを設け、前記スライドブッシュが前記スライドスクリューより離れる方向に移動すると、前記スライドカラーを前記スライドブッシュの第１のラチェット突起と、前記スライドカラーの第１′のラチェット突起との噛合を解除する方向に案内する斜面部からなる第２のガイドと、該第２のガイドに係合する突部とのうち一方を前記スライドブッシュに、他方を前記スライドカラーに設け、更に、前記突部が前記第２のガイドを越えた時点で、前記第１及び第１′のラチェット突起の噛合及び前記第２及び第２′のラチェット突起の噛合のうち、どちらか一方が完全噛合状態、他方が不完全噛合状態となるよう前記第２のガイドと突部とを設け、又、前記不完全噛合状態から完全噛合状態へ前記スライドカラーが回転すると、前記スライドスクリューが前記スライドブッシュ方向に移動するように、前記第１のガイド，前記スライドスクリューのうち、どちらか一方にナット部を、他方に前記ナット部に螺合するねじ棒部を設けると共に、前記第１のガイド側の部材の回転を禁止したことを特徴とするワイヤたるみ取り機構である。
【００１２】
初期状態においては、スライドカラーの第１′のラチェット突起はスライドブッシュの第１のラチェット突起に、第２′のラチェット突起は、スライドスクリューの第２のラチェット突起に噛合している。
【００１３】
そして、ワイヤに荷重（張力）が作用しない状態では、付勢手段の付勢力によりスライドブッシュは、ワイヤを張る方向に付勢され、ワイヤの伸びが吸収されている。
【００１４】
ワイヤの伸びに伴ってスライドブッシュがスライドスクリューより離れる方向に移動すると、第２のガイドの斜面部と、突部との関係により、スライドブッシュの第１のラチェット突起とスライドカラーの第１′のラチェット突起との噛合が解除する方向にスライドカラーが回転する。
【００１５】
そして、ワイヤの伸びが所定の値を越えると、突部が斜面部を越える。
ここで、ワイヤへ荷重（張力）が作用すると、スライドブッシュは、付勢手段の付勢力に抗してスライドスクリュー方向に移動する。このとき、スライドカラーもスライドブッシュに押されてスライドスクリュー方向に移動する。
【００１６】
そして、第１及び第１′のラチェット突起の噛合及び前記第２及び第２′のラチェット突起の噛合のうち、どちらか一方が完全噛合状態、他方が不完全噛合状態となる
更に、ワイヤの荷重（張力）が作用し続けると、不完全噛合状態のラチェット突起が完全噛合状態になるように、スライドスクリューが回転し、ナット部とねじ棒との関係により、スライドスクリューはスライドブッシュ方向に所定量移動する。
【００１７】
スライドスクリューがスライドブッシュ方向に所定量移動することにより、スライドブッシュも共に移動し、ワイヤのたるみを吸収する。
上記構成のワイヤたるみ取り機構によれば、ワイヤが所定の値だけ伸びると、スライドスクリュー及びスライドブッシュが所定量移動することにより、ワイヤの伸びを吸収し、長期間にわたってワイヤにかかる張力が略一定となる。
【００１８】
第２の発明は、荷重が作用するワイヤに沿って設けられた第１のガイドと、前記第１のガイドに移動可能に係合すると共に回転が禁止され、前記ワイヤが係止され、第１のラチェット突起が形成されたスライドブッシュと、前記第１のガイドに移動可能に係合し、前記スライドブッシュとの対向面に前記第１のラチェットと噛合可能な第１′のラチェットが形成されたスライドスクリューと、前記ワイヤを張る方向に前記スライドブッシュを付勢する付勢手段とを設け、前記スライドブッシュが前記スライドスクリューより離れる方向に移動すると、前記スライドスクリューを前記スライドブッシュの第１のラチェット突起と、前記スライドスクリューの第１′のラチェット突起との噛合を解除する方向に案内する斜面部からなる第２のガイドと、該第２のガイドに係合する突部とのうち一方を前記スライドブッシュに、他方を前記スライドスクリューに設け、更に、前記突部が前記第２のガイドを越えた時点で、前記第１及び第１′のラチェット突起が不完全噛合状態となるように前記第２のガイドと突部とを設け、又、この不完全噛合状態から完全噛合状態へ前記へ前記スライドブッシュが回転すると、前記スライドスクリューが前記スライドブッシュ方向に移動するように、前記第１のガイド，前記スライドスクリューのうち、どちらか一方にナット部を他方に前記ナット部に螺合するねじ棒部を設けると共に、前記第１のガイド側の部材の回転を禁止したことを特徴とするワイヤたるみ取り機構である。
【００１９】
初期状態においては、スライドブッシュの第１のラチェット突起は、スライドスクリューの第１′のラチェット突起に噛合している。
そして、ワイヤに荷重（張力）が作用しない状態では、付勢手段の付勢力によりスライドブッシュは、ワイヤを張る方向に付勢され、ワイヤの伸びが吸収されている。
【００２０】
ワイヤの伸びに伴ってスライドブッシュがスライドスクリューより離れる方向に移動すると、第２のガイドの斜面部と、突部との関係により、スライドブッシュの第１のラチェット突起とスライドスクリューの第１′のラチェット突起との噛合が解除する方向にスライドスクリューが回転し、ナット部とねじ棒との関係により、スライドスクリューはスライドブッシュ方向に移動する。
【００２１】
そして、ワイヤの伸びが所定の値を越えると、突部が斜面部を越える。この時、第１及び第１′のラチェット突起が不完全噛合状態になる。
ここで、ワイヤへ荷重（張力）が作用すると、スライドブッシュは、付勢手段の付勢力に抗してスライドスクリュー方向に移動する。
【００２２】
更に、ワイヤの荷重（張力）が作用し続けると、不完全噛合状態の第１及び第１′のラチェット突起が完全噛合状態になるように、スライドスクリューが回転し、ナット部とねじ棒との関係により、スライドスクリューはスライドブッシュ方向に移動する。
【００２３】
従って、スライドブッシュがスライドスクリューより離れる方向に移動する時と、その後、スライドブッシュがスライドスクリュー方向に戻る時とで、それぞれスライドスクリューがスライドブッシュ方向に移動することにより、スライドブッシュも共に移動し、ワイヤのたるみを吸収する。
【００２４】
上記構成のワイヤたるみ取り機構によれば、ワイヤが所定の値だけ伸びると、スライドスクリュー及びスライドブッシュが所定量移動することにより、ワイヤの伸びを吸収し、長期間にわたってワイヤにかかる張力が略一定となる。
【００２５】
第３の発明は、ワイヤの移動により窓ガラスを昇降させるウィンドウレギュレータにおいて、荷重が作用するワイヤに沿って設けられた第１のガイドと、前記第１のガイドに移動可能に係合すると共に回転が禁止され、前記ワイヤが係止され、第１のラチェット突起が形成されたスライドブッシュと、前記第１のガイドに移動可能に係合し、前記スライドブッシュとの対向面に第２のラチェット突起が形成されたスライドスクリューと、前記スライドブッシュと前記スライドスクリューとの間に配設され、前記スライドブッシュとの対向面には前記第１のラチェット突起と噛合可能な第１′のラチェット突起が、前記スライドスクリューとの対向面には前記第２のラチェット突起と噛合可能な第２′のラチェット突起が形成されたスライドカラーと、前記ワイヤを張る方向に前記スライドブッシュを付勢する付勢手段とを設け、前記スライドブッシュが前記スライドスクリューより離れる方向に移動すると、前記スライドカラーを前記スライドブッシュの第１のラチェット突起と、前記スライドカラーの第１′のラチェット突起との噛合を解除する方向に案内する斜面部からなる第２のガイドと、該第２のガイドに係合する突部とのうち一方を前記スライドブッシュに、他方を前記スライドカラーに設け、更に、前記突部が前記第２のガイドを越えた時点で、前記第１及び第１′のラチェット突起の噛合及び前記第２及び第２′のラチェット突起の噛合のうち、どちらか一方が完全噛合状態、他方が不完全噛合状態となるよう前記第２のガイドと突部とを設け、又、前記不完全噛合状態から完全噛合状態へ前記スライドカラーが回転すると、前記スライドスクリューが前記スライドブッシュ方向に移動するように、前記第１のガイド，前記スライドスクリューのうち、どちらか一方にナット部を、他方に前記ナット部に螺合するねじ棒部を設けると共に、前記第１のガイド側の部材の回転を禁止したワイヤたるみ取り機構を有することを特徴とするウィンドウレギュレータである。
【００２６】
この発明のウィンドウレギュレータのワイヤたるみ取り機構の初期状態においては、スライドカラーの第１′のラチェット突起はスライドブッシュの第１のラチェット突起に、第２′のラチェット突起は、スライドスクリューの第２のラチェット突起に噛合している。
【００２７】
そして、ワイヤに荷重（張力）が作用しない状態では、付勢手段の付勢力によりスライドブッシュは、ワイヤを張る方向に付勢され、ワイヤの伸びが吸収されている。
【００２８】
ワイヤの伸びに伴ってスライドブッシュがスライドスクリューより離れる方向に移動すると、第２のガイドの斜面部と、突部との関係により、スライドブッシュの第１のラチェット突起とスライドカラーの第１′のラチェット突起との噛合が解除する方向にスライドカラーが回転する。
【００２９】
そして、ワイヤの伸びが所定の値を越えると、突部が斜面部を越える。
ここで、ワイヤへ荷重（張力）が作用すると、スライドブッシュは、付勢手段の付勢力に抗してスライドスクリュー方向に移動する。このとき、スライドカラーもスライドブッシュに押されてスライドスクリュー方向に移動する。
【００３０】
そして、第１及び第１′のラチェット突起の噛合及び前記第２及び第２′のラチェット突起の噛合のうち、どちらか一方が完全噛合状態、他方が不完全噛合状態となる。
【００３１】
更に、ワイヤの荷重（張力）が作用し続けると、不完全噛合状態のラチェット突起が完全噛合状態になるように、スライドスクリューが回転し、ナット部とねじ棒との関係により、スライドスクリューはスライドブッシュ方向に所定量移動する。
【００３２】
スライドスクリューがスライドブッシュ方向に所定量移動することにより、スライドブッシュも共に移動し、ワイヤのたるみを吸収する。
上記構成のウィンドウレギュレータによれば、ワイヤが所定の値だけ伸びると、スライドスクリュー及びスライドブッシュが所定量移動することにより、ワイヤの伸びを吸収し、長期間にわたってワイヤにかかる張力が略一定となる。
【００３３】
従って、ガラスの昇降時にガタが発生せず、ワイヤのガイドからの外れを防止でき、ワイヤの耐久性が向上する。
第４の発明は、ワイヤの移動により窓ガラスを昇降させるウィンドウレギュレータにおいて、荷重が作用するワイヤに沿って設けられた第１のガイドと、前記第１のガイドに移動可能に係合すると共に回転が禁止され、前記ワイヤが係止され、第１のラチェット突起が形成されたスライドブッシュと、前記第１のガイドに移動可能に係合し、前記スライドブッシュとの対向面に前記第１のラチェットと噛合可能な第１′のラチェットが形成されたスライドスクリューと、前記ワイヤを張る方向に前記スライドブッシュを付勢する付勢手段とを設け、前記スライドブッシュが前記スライドスクリューより離れる方向に移動すると、前記スライドスクリューを前記スライドブッシュの第１のラチェット突起と、前記スライドスクリューの第１′のラチェット突起との噛合を解除する方向に案内する斜面部からなる第２のガイドと、該第２のガイドに係合する突部とのうち一方を前記スライドブッシュに、他方を前記スライドスクリューに設け、更に、前記突部が前記第２のガイドを越えた時点で、前記第１及び第１′のラチェット突起が不完全噛合状態となるように前記第２のガイドと突部とを設け、又、この不完全噛合状態から完全噛合状態へ前記へ前記スライドブッシュが回転すると、前記スライドスクリューが前記スライドブッシュ方向に移動するように、前記第１のガイド，前記スライドスクリューのうち、どちらか一方にナット部を他方に前記ナット部に螺合するねじ棒部を設けるとともに、前記第１のガイド側の回転を禁止したワイヤたるみ取り機構を有することを特徴とするウィンドウレギュレータである。
【００３４】
上記構成のウィンドウレギュレータのワイヤたるみ取り機構の初期状態においては、スライドブッシュの第１のラチェット突起は、スライドスクリューの第１′のラチェット突起に噛合している。
【００３５】
そして、ワイヤに荷重（張力）が作用しない状態では、付勢手段の付勢力によりスライドブッシュは、ワイヤを張る方向に付勢され、ワイヤの伸びが吸収されている。
【００３６】
ワイヤの伸びに伴ってスライドブッシュがスライドスクリューより離れる方向に移動すると、第２のガイドの斜面部と、突部との関係により、スライドブッシュの第１のラチェット突起とスライドスクリューの第１′のラチェット突起との噛合が解除する方向にスライドスクリューが回転し、ナット部とねじ棒との関係により、スライドスクリューはスライドブッシュ方向に移動する。
【００３７】
そして、ワイヤの伸びが所定の値を越えると、突部が斜面部を越える。この時、第１及び第１′のラチェット突起が不完全噛合状態になる。
ここで、ワイヤへ荷重（張力）が作用すると、スライドブッシュは、付勢手段の付勢力に抗してスライドスクリュー方向に移動する。
【００３８】
更に、ワイヤの荷重（張力）が作用し続けると、不完全噛合状態の第１及び第１′のラチェット突起が完全噛合状態になるように、スライドスクリューが回転し、ナット部とねじ棒との関係により、スライドスクリューはスライドブッシュ方向に移動する。
【００３９】
従って、スライドブッシュがスライドスクリューより離れる方向に移動する時と、その後、スライドブッシュがスライドスクリュー方向に戻る時とで、それぞれスライドスクリューがスライドブッシュ方向に移動することにより、スライドブッシュも共に移動し、ワイヤのたるみを吸収する。
【００４０】
上記構成のウィンドウレギュレータによれば、ワイヤが所定の値だけ伸びると、スライドスクリュー及びスライドブッシュが所定量移動することにより、ワイヤの伸びを吸収し、長期間にわたってワイヤにかかる張力が略一定となる。
【００４１】
従って、ガラスの昇降時にガタが発生せず、ワイヤのガイドからの外れを防止でき、ワイヤの耐久性が向上する。
【００４２】
【発明の実施の形態】
次に図面を用いて本発明の実施の形態を説明する。
先ず、本実施の形態例のワイヤたるみ取り機構が用いられたウィンドウレギュレータの全体構成を図５及び図６を用いて行なう。図５は本実施の形態例のワイヤたるみ取り機構が用いられたウィンドウレギュレータの全体構成を示す図、図６は図５の切断線Ａ−Ａにおける断面図である。
【００４３】
これらの図において、ガラス２の昇降方向（図５において矢印方向）に沿ってガイド１が設けられている。このガイド１の上部はアッパブラケット３を介して車体側（ドアインナパネル）に、ガイド１の下部はロアブラケット４を介して車体側（ドアインナパネル）にそれぞれ取付けられている。
【００４４】
ガイド１には、ガイド１に摺動可能に係合する二つのスライダ５を介してスライダプレート６が設けられている。更に、ガラス２の下部と、スライダプレート６とがねじ７を用いて固着され、ガラス２は、ガイド１に沿って矢印方向に昇降可能となっている。
【００４５】
ガイド１の側方には、ドラムベース８が設けられている。このドラムベース８には、円筒面に螺旋状に溝９ａが刻設されたドラム９を回転可能に保持する上面が開放された円筒形のドラム保持部８ａが形成されている。
【００４６】
１０は駆動シャフト１０ａがドラム９に嵌合し、ドラムベース８に設けられたモータ、１１はドラムベース８のドラム保持部８ａの開放面を覆う蓋である。
ドラム９の円筒面の溝には、ワイヤ１２の中間部が巻掛けられている。このワイヤ１２の一方の端部側は、アッパブラケット３上に回転可能に設けられたアッパプーリ（ターンガイド）１３を介して、スライダプレート６上のワイヤたるみ取り機構２０に係止されている。又、ワイヤ１２の他方の端部側は、ロアブラケット４上に回転可能に設けられたロアプーリ（ターンガイド）１４を介してスライダプレート６上のワイヤたるみ取り機構２０に係止されている。
【００４７】
又、アッパブラケット３にはアッパケーブルガイド１５が、ロアブラケット４にはロアケーブルガイド１６がそれぞれ設けられている。
次に、上記構成の作動を説明する。モータ１０を駆動することにより、ドラム９が回転する。ドラム９の回転により、ワイヤ１２の一方はドラム９より繰出され、他方のワイヤ１２はドラム９に巻き取られる。ワイヤ１２の移動により、スライダプレート６がガイド１に沿って移動し、ガラス２の昇降が行なわれる。
【００４８】
次に、本発明の第１の実施の形態例のワイヤたるみ取り機構の分解構成図である図１と、図１において組付けた状態での構成図である図２と、図１における分解斜視図である図３とを用いて、上記ワイヤたるみ取り機構２０の説明を行なう。
【００４９】
これらの図において、５０はスライダプレート６上に固着されるエンドケースである。このエンドケース５０の一方の短側面には、ワイヤ１２の径より若干大きな幅の切り欠き溝５０ａが形成され、この切り欠き溝５０ａに抜け止め部材５１が設けられたワイヤ１２の一方の端部１２ａが挿入されている。
【００５０】
エンドケース５０の他方の短側面には、ナット部材５２の首部５２ａが嵌合する切り欠き溝５０ｂが形成されている。エンドケース５０内に位置するナット部材５２の頭部５２ｂは、狭幅部がエンドケース５０の幅と略同じ長さに設定された小判状となっており、ナット部材５２の回転が禁止されている。更に、ナット部材５２には、貫通めねじ穴５２ｃが形成されている。
【００５１】
５３はエンドケース５０内に配設されるスライドブッシュである。このスライドブッシュ５３の矩形状の頭部５３ａと、この頭部５３ａに連設された首部５３ｂとからなっている。又、スライドブッシュ５３には、頭部５３ａと首部５３ｂとを貫通する貫通穴５３ｃが形成されている。矩形状の頭部５３ａの一辺は、エンドケース５０の幅と略同じ長さに設定され、スライドブッシュ５３は回転が禁止された状態で第１のガイドとしてのエンドケース５０の長側面に沿って移動可能となっている。スライドブッシュ５３の首部５３ｂは、大径部５３ｄと小径部５３ｅとからなり、大径部５３ｄには第１のラチェット突起５３ｆ（本実施の形態例では、８山設けた）が、小径部５３ｅの筒面上には複数の突部５３ｇ（本実施の形態例では、４つ）が形成されている。
【００５２】
５４はナット部材５２の貫通めねじ穴５２ｃに螺合するねじ棒部５４ａと、スライドブッシュ５３との対向面に、第１のラチェット突起５３ｆと逆方向の斜面を有する第２のラチェット突起５４ｂ（本実施の形態例では、１２山設けた）が形成された頭部５４ｃとからなるスライドスクリューである。このスライドスクリュー５４には、ねじ棒部５４ａと頭部５４ｃとを貫通する貫通穴５４ｄが形成されている。
【００５３】
スライドブッシュ５３とスライドスクリュー５４との間には、スライドカラー５５が配設される。このスライドカラー５５のスライドブッシュ５３との対向面には第１のラチェット突起５３ｆと噛合可能な第１′のラチェット突起５５ａが、スライドスクリュー５４との対向面には第２のラチェット突起５４ｂと噛合可能な第２′のラチェット突起５５ｂが形成されている。スライドカラー５５には、スライドブッシュ５３の首部５３ｂが嵌入する貫通穴５５ｃが形成されている。
【００５４】
更に、スライドカラー５５の説明を図４も参照して行なう。図４は図１におけるスライドカラーを説明する図で、（ａ）図は上面図、（ｂ）図は正面図、（ｃ）図は下面図、（ｄ）図は（ａ）図におけるＢ方向拡大矢視図である。
【００５５】
（ｄ）図に示すように、貫通穴５５ｃの内周面には、スライドブッシュ５３の突部５３ｇが係合可能な第２のガイドとしてのガイド突起５５ｄが複数（本実施の形態例では、４つ）形成されている。
【００５６】
このガイド突起５５ｄは、スライドブッシュ５３がスライドスクリュー５４より離れる方向に移動すると、スライドカラー５５をスライドブッシュ５３の第１のラチェット突起５３ｆと、スライドカラー５５の第１′のラチェット突起５５ａとの噛合を解除する方向に案内する斜面部５５ｅと、斜面部５５ｅの両端に連設され、第１のガイドであるエンドケース５０の長側面方向に沿って設けられた直線部５５ｇ，５５ｈからなっている。
【００５７】
そして、ガイド突起５５ｄと突部５３ｇとは、突部５３ｇがガイド突起５５ｄの斜面部５５ｅを越えた時点で、第１及び第１′のラチェット突起５３ｆ，５５ａの噛合及び第２及び第２′のラチェット突起５４ｂ，５５ｂの噛合のうち、どちらか一方が完全噛合状態、他方が不完全噛合状態となるように設けられている。
【００５８】
このような構成を実現するには、第１及び第１′のラチェット突起５３ｆ，５５ａと、第２及び第２′のラチェット突起５４ｂ，５５ｂとのピッチを変えたり、高さ，大きさを変えたりすることで可能である。
【００５９】
そして、スライドブッシュ５３とスライドスクリュー５４との間には、基端部がスライドスクリュー５４の頭部５４ｃに係合し、先端部がスライドブッシュ５３の頭部５３ａに係合し、ワイヤ１２を張る方向にスライドブッシュ５３を付勢する付勢手段としてのスプリング６０が配設されている。
【００６０】
ワイヤ１２の他方の端部１２ｂは、ナット部材５２の貫通めねじ穴５２ｃ，スライドスクリュー５４の貫通穴５４ｄ，スライドカラー５５の貫通穴５５ｃ，スライドブッシュ５３の貫通穴５３ｃを挿通し、抜け止め部材６１でスライドブッシュ５３の頭部５３ａに係合している。
【００６１】
更に、ナット部材５２の貫通めねじ穴５２ｃとスライドスクリュー５４のねじ棒部５４ａとの螺合は、スライドカラー５５が第１及び第１′のラチェット突起５３ｆ，５５ａの噛合、第２及び第２′のラチェット突起５４ｂ，５５ｂの噛合のうち、どちらか一方の噛合が、不完全噛合状態から完全噛合状態へ移行するために回転すると、スライドスクリュー５４がスライドブッシュ５３方向に移動するように形成されている。
【００６２】
次に、上記構成の作動を図７及び図８を用いて説明する。図７及び図８はスライドブッシュ５３，スライドスクリュー５４，スライドカラー５５を展開した状態を示している。
【００６３】
（１）  初期状態においては、図７（ａ）に示すように、スライドカラー５５の第１′のラチェット突起５５ａはスライドブッシュ５３の第１のラチェット突起５３ｆに、第２′のラチェット突起５５ｂは、スライドスクリュー５４の第２のラチェット突起５４ｂに噛合している。
【００６４】
ワイヤ１２の他方の端部１２ｂに荷重（張力）が作用しない状態では、スプリング６０の付勢力によりスライドブッシュ５３はスライドスクリュー５４から離れる方向に付勢され、ワイヤ１２が張られ、ワイヤ１２の伸びが吸収されている。
【００６５】
（２）  ガラス２を昇降させると、ワイヤ１２には繰返し荷重（張力）が作用し、ワイヤ１２は徐々に伸びる。ワイヤ１２の伸びに伴ってスプリング６０により付勢されたスライドブッシュ５３がスライドスクリュー５４より離れる方向に移動すると、図７（ｂ）に示すように、ガイド突起５５ｄの斜面部と突部５３ｇの関係により、スライドカラー５５はスライドブッシュ５３の第１のラチェット突起５３ｆとスライドカラー５５の第１′のラチェット突起５５ａとの噛合が解除する方向に回転する。
【００６６】
（３）  ワイヤ１２の伸びが所定の値を越えると、図７（ｃ）に示すように、突部５３ｇがガイド突起５５ｄの斜面部５５ｅを越える。
尚、本実施の形態例では、スライドスクリュー５４よりスライドカラー５５が上方に配設されているので、この時点で，スライドカラー５５は落下し、スライドカラー５５の第２′のラチェット突起５５ｂがスライドスクリュー５４の第２のラチェット突起５４ｂに噛合する。
【００６７】
（４）  ワイヤ１２の他方の端部１２ｂへ張力が作用すると、即ち、ワイヤ１２ｂの他方の端部にスプリング６０の付勢方向と逆方向の張力が作用すると、図８（ａ）に示すように、スライドブッシュ５３はスプリング６０の付勢力に抗してスライドスクリュー５４方向に移動する。
【００６８】
尚、スライドカラー５５がスライドスクリュー５４より上方に配設されない場合は、スライドカラー５５もスライドブッシュ５３に押されてスライドスクリュー５４方向に移動し、スライドカラー５５の第２′のラチェット突起５５ｂがスライドスクリュー５４の第２のラチェット突起５４ｂに噛合する。
【００６９】
そして、第１及び第１′のラチェット突起５３ｆ，５５ａの噛合及び第２及び第２′のラチェット突起５４ｂ，５５ｂの噛合のうち、どちらか一方、本実施の形態例では、第２及び第２′のラチェット突起５４ｂ，５５ｂの噛合が完全噛合状態となり、第１及び第１′のラチェット突起５３ｆ，５５ａの噛合が不完全噛合状態となる。
【００７０】
（５）  ワイヤ１２にスプリング６０の付勢方向と逆方向の張力が作用し続けると、図８（ｂ）に示すように、不完全噛合状態の第１及び第１′のラチェット突起５３ｆ，５５ａの噛合が完全噛合状態になるように、スライドカラー５５を介してスライドスクリュー５４が回転し、スライドスクリュー５４はスライドブッシュ５３方向に所定量移動し、図８（ｃ）の状態となる。
【００７１】
スライドスクリュー５４が所定量移動することにより、スライドブッシュ５３も共に移動する。
上記構成のワイヤたるみ取り機構２０によれば、スライドスクリュー５４がスライドブッシュ５３方向に所定量移動することにより、スライドブッシュ５３も共に移動し、ワイヤ１２の伸びを吸収し、たるみを吸収し、長期間にわたってワイヤ１２の張力を略一定にできる。
【００７２】
更に、上記構成のウィンドウレギュレータによれば、ワイヤ１２の張力が略一定に保てるので、ガラス２の昇降時にガタが発生せず、ワイヤ１２のガイド１５，１６からの外れを防止でき、ワイヤ１２の耐久性も向上する。
【００７３】
尚、本発明は、上記実施の形態例に限定するものではない。上記実施の形態例では、スプリング６０の基端部は、スライドスクリュー５４の頭部５４ｃに係合させたが、このスプリング６０は、スライドブッシュ５３をワイヤ１２を張る方向に付勢すれば良いので、図９（ａ）に示すように、スライドカラー５５の筒面の中間部につば部を５５ｆを設け、このつば部にスプリング６０の基端部を係合させてもよい。
【００７４】
又、図９（ｂ）に示すように、スライドカラー５５の筒面のスライドスクリュー５４側の端面につば部５５ｇを設け、このつば部５５ｇ内に内歯状の第２′のラチェット突起５５ｂを形成しても良い。
【００７５】
更に、本実施の形態例のラチェット突起５３ｆ，５５ａ，５５ｂ，５４ｂは、図１０（ａ）に示すように、形状が直角三角形であるものを用いたが、他に、図１０（ｂ）に示すような三角形状でもよいし、図１０（ｃ）に示すような二等辺三角形状でも良し、更には、図１０（ｄ）に示すような二等辺三角形の頂点を切り取ったような台形状でもよいし、図１０（ｅ）に示すような連続する円弧からなる波形形状でもよいし、図１０（ｆ）に示すような直角三角形の頂点を切り取ったような台形状でもよい。
【００７６】
又、ナット部材５２とねじ棒部５４ａとの螺合関係も、エンドケース５０側にねじ棒をスライドスクリュー５４側にねじ棒に螺合するナット部をも設けても良いことはいうまでもない。
【００７７】
さらに又、第２のガイドとしてのガイド突起５５ｄと、突部５３ｇとの係合関係も、ガイド突起をスライドブッシュ５３側に、突部をスライドカラー５５に設けても良い。
【００７８】
次に、図１１を用いて本発明のワイヤたるみ取り機構の第２の実施の形態例を説明する。
図１１は本発明の第２の実施の形態例のワイヤたるみ取り機構の構成図である。図において、第１の実施の形態例を説明する図１と同一部分には、同一符号を付し、それらの説明は省略する。
【００７９】
本実施の形態例と第１の実施の形態例との相違点は、第１の実施の形態例は、スライドスクリューとスライドカラーを用いたが、本実施の形態例では、スライドカラーを不要としている。
【００８０】
スライドスクリュー１００は、本体部１００ａと、ナット部材５２の貫通めねじ穴５２ｃに螺合するねじ棒部１００ｂとからなっている。本体部１００ａのスライドブッシュ５３との対向面には第１のラチェット突起５３ｆと噛合可能な第１′のラチェット突起１００ｃが形成されている。
【００８１】
更に、本体部１００ａには、スライドブッシュ５３の首部５３ｂが嵌入すると共に、ワイヤ１２の他方の端部側１２ｂが挿通する大径穴１００ｄが、ねじ棒部１００ｂには、大径貫通穴１００ｄに連設され、ワイヤ１２の他方の端部側１２ｂが挿通する小径穴１００ｅが形成され、これら大径穴１００ｄと、小径穴１００ｅとで、スライドスクリュー１００を貫通する穴が形成されている。
【００８２】
そして、大径穴１００ｄの内周面には、スライドブッシュ５３の突部５３ｇが係合可能な第２のガイドとしてのガイド突起１００ｆが複数（本実施の形態例では、４つ）形成されている。
【００８３】
ここで、図１２を用いて、ガイド突起１００ｆの説明を行なう。このガイド突起１００ｆは、スライドブッシュ５３がスライドスクリュー１００より離れる方向に移動すると、スライドスクリュー１００を回転させ、スライドブッシュ５３方向に移動させる斜面部１００ｇと、斜面部１００ｇに連設され、斜面部１００ｇと逆方向の傾きを持った斜面部１００ｈと、第１のガイドであるエンドケース５０の長側面方向に沿って設けられた直線部１００ｉとからなっている。
【００８４】
上記構成の動作を説明する。
（１）  初期状態においては、スライドスクリュー１００の第１′のラチェット突起１００ｃはスライドブッシュ５３の第１のラチェット突起５３ｆに噛合している。このとき、スライドブッシュ５３の突部５３ｇは、スライドスクリュー１００のガイド突起１００ｆの斜面部１００ｇに当接している。
【００８５】
ワイヤ１２の他方の端部１２ｂに荷重（張力）が作用しない状態では、スプリング６０の付勢力によりスライドブッシュ５３はスライドスクリュー５４から離れる方向に付勢され、ワイヤ１２が張られ、ワイヤ１２の伸びが吸収されている。
【００８６】
（２）  ガラス２を昇降させると、ワイヤ１２には繰返し荷重（張力）が作用し、ワイヤ１２は徐々に伸びる。ワイヤ１２の伸びに伴ってスプリング６０により付勢されたスライドブッシュ５３がスライドスクリュー１００より離れる方向に移動すると、ガイド突起１００ｆの斜面部１００ｇと突部５３ｇの関係により、スライドスクリュー１００が回転し、第１′のラチェット突起１００ｃとスライドブッシュ５３の第１のラチェット突起５３ｆとの噛合か解除されると共に、スライドスクリュー１００はスライドブッシュ５３方向に移動する。
【００８７】
（３）  ワイヤ１２の伸びが所定の値を越えると、突部５３ｇがガイド突起１００ｆの斜面部１００ｇを越える。この時、第１及び第１′のラチェット突起５３ｆ，１００ｃが不完全噛合状態になる。
【００８８】
（４）  ワイヤ１２の他方の端部１２ｂへ張力が作用すると、即ち、ワイヤ１２ｂの他方の端部にスプリング６０の付勢方向と逆方向の張力が作用すると、スライドブッシュ５３はスプリング６０の付勢力に抗してスライドスクリュー１００方向に移動する
（５）  ワイヤ１２にスプリング６０の付勢方向と逆方向の張力が作用し続けると、不完全噛合状態の第１及び第１′のラチェット突起５３ｆ，１００ｃの噛合が完全噛合状態になるように、スライドスクリュー１００が回転し、スライドスクリュー５４はスライドブッシュ５３方向に移動する。
【００８９】
従って、スライドブッシュ５３がスライドスクリュー１００より離れる方向に移動する時と、その後、スライドブッシュ５３がスライドスクリュー１００方向に戻る時とで、それぞれスライドスクリュー１００がスライドブッシュ５３方向に移動することにより、スライドブッシュ５３も共に移動し、ワイヤ１２のたるみを吸収する。
【００９０】
上記構成のワイヤたるみ取り機構によれば、スライドスクリュー１００がスライドブッシュ５３方向に所定量移動することにより、スライドブッシュ５３も共に移動し、ワイヤ１２の伸びを吸収し、たるみを吸収し、長期間にわたってワイヤ１２の張力を略一定にできる。
【００９１】
更に、上記構成のワイヤたるみ取り機構をウィンドウレギュレータに用いれば、ワイヤ１２の張力が略一定に保てるので、ガラスの昇降時にガタが発生せず、ワイヤ１２のガイドからの外れを防止でき、ワイヤ１２の耐久性も向上する。
【００９２】
【発明の効果】
以上述べたように、第１，第３の発明のワイヤたるみ取り機構によれば、ワイヤが所定の値だけ伸びると、スライドスクリュー及びスライドブッシュが所定量移動することにより、ワイヤの伸びを吸収し、長期間にわたってワイヤにかかる張力が略一定とすることができる。
【００９３】
第２，第４の発明のウィンドウレギュレータによれば、ワイヤにかかる張力が略一定となることにより、ワイヤの張力が略一定に保てるので、ガラスの昇降時にガタが発生せず、ワイヤのガイドからの外れを防止でき、ワイヤの耐久性も向上することができる。
【図面の簡単な説明】
【図１】本発明の第１の実施の形態例のワイヤたるみ取り機構の分解構成図である。
【図２】図１において組付けた状態での構成図である。
【図３】図１における分解斜視図であるである。
【図４】図１におけるスライドカラーを説明する図で、（ａ）図は上面図、（ｂ）図は正面図、（ｃ）図は下面図、（ｄ）図は（ａ）図におけるＢ方向拡大矢視図である。
【図５】本実施の形態例のワイヤたるみ取り機構が用いられたウィンドウレギュレータの全体構成を示す図である。
【図６】図５の切断線Ａ−Ａにおける断面である。
【図７】図１に示す構成の作動を説明する図である。
【図８】図１に示す構成の作動を説明する図である。
【図９】他の実施の形態例を説明する図である。
【図１０】他の実施の形態例を説明する図である。
【図１１】第２の実施の形態例のワイヤたるみ機構の分解構成図である。
【図１２】図９におけるガイド突起の説明図である。
【図１３】ウィンドウレギュレータに用いられる従来のたるみ取り機構の構成図である。
【符号の説明】
１２  ワイヤ
５０  エンドケース（第１のガイド）
５２  ナット部材
５３  スライドブッシュ
５３ｆ  第１のラチェット突起
５３ｇ  突部
５４  スライドスクリュー
５４ａ  ねじ棒部
５４ｂ  第２のラチェット突起
５５  スライドカラー
５５ａ  第１′のラチェット突起
５５ｂ  第２′のラチェット突起
５５ｄ  ガイド突起（第２のガイド）
６０  スプリング（付勢手段）
【図１】
0003556802.tif 000002
【図２】
0003556802.tif 000003
【図３】
0003556802.tif 000004
【図４】
0003556802.tif 000005
【図５】
0003556802.tif 000006
【図６】
0003556802.tif 000007
【図７】
0003556802.tif 000008
【図８】
0003556802.tif 000009
【図９】
0003556802.tif 000010
【図１０】
0003556802.tif 000011
【図１１】
0003556802.tif 000012
【図１２】
0003556802.tif 000013
【図１３】
0003556802.tif 000014